(57)【要約】【課題】光学部品を搭載する装置の小型化が図れるとともに、製造不良を発生し難い、光学部材の取付構造を提供する。【解決手段】第１の光学部材１３を第２の光学部材１２の近傍に配置して、ベース部１０に取り付けるための取付構造は、第１の壁部１０１と、第１の壁部１０１と間隔をあけて対向配置される第２の壁部１０２と、を備える。第１の光学部材１３は、第１の壁部１０１及び第２の壁部１０２の間に挟まれ、第１の壁部１０１及び第２の壁部１０２の各上面には溝部１０１２、１０２２が設けられ、溝部１０１２、１０２２は、注入された接着剤を第１の光学部材１３に流出させる流出部１０１２ｂ、１０２２ｂの幅が絞られた構造になっている。【選択図】図３
2013143159.tif 000002
【特許請求の範囲】
【請求項１】
第１の光学部材を第２の光学部材の近傍に配置して、ベース部に取り付けるための取付構造であって、
前記ベース部に設けられる第１の壁部と、
前記ベース部に設けられるとともに、前記第１の壁部と間隔をあけて対向配置される第２の壁部と、
を備え、
前記第１の光学部材は、前記第１の光学部材を通過する光の光軸に対して略直交する方向に並ぶ前記第１の壁部及び前記第２の壁部の間に挟まれ、
前記第１の壁部及び前記第２の壁部の各上面には、溝部が設けられ、
前記溝部は、注入された接着剤を前記第１の光学部材に流出させる流出部の幅が絞られた構造になっている、光学部材の取付構造。
【請求項２】
前記溝部は、前記接着剤を注入するための注入部を有し、
前記注入部と繋がる前記流出部は、前記注入部に比べて幅が狭くなっている、請求項１に記載の光学部材の取付構造。
【請求項３】
前記流出部の底面が、前記第１の光学部材の上面近傍に位置する、請求項１又は２に記載の光学部材の取付構造。
【請求項４】
前記第１の壁部と前記第２の壁部とで、前記流出部の底面の高さ位置が異なる、請求項１から３のいずれかに記載の光学部材の取付構造。
【請求項５】
前記第１の壁部及び前記第２の壁部には、前記第１の光学部材における前記第２の光学部材に対向する面と反対側の面の一部、に対向する突起部が設けられる、請求項１から４のいずれかに記載の光学部材の取付構造。
【請求項６】
前記突起部は、前記第２の光学部材より高さが高く設けられている、請求項５に記載の光学部材の取付構造。
【請求項７】
前記第１の光学部材と前記第２の光学部材とは接触している、請求項１から６のいずれかに記載の光学部材の取付構造。
【請求項８】
請求項１から７のいずれかに記載の光学部材の取付構造を備える、光ピックアップ。
【請求項９】
前記第１の光学部材は光の偏光状態を変化させる波長板であり、前記第２の光学部材は光分離素子である、請求項８に記載の光ピックアップ。
【発明の詳細な説明】
【技術分野】
【０００１】
本発明は光学部材の取付構造に関し、光ピックアップに好適な技術に関する。
【背景技術】
【０００２】
光ピックアップは、光学部材を載置するベース部（基台）を備える。ベース部には、各光学部品が位置、角度精度良く取り付けられるように、各光学部材を取り付けるための取り付け部が設けられる（例えば特許文献１参照）。図７は、従来の、光ピックアップが備える１／４波長板の取付構造を説明するための概略平面図である。図７には、１／４波長板５３の他に、光源５１、偏光ビームスプリッタ５２、及び、光検出器５４も合わせて示されている。
【０００３】
光源５１から出射された光（ここではＳ偏光とする）は、偏光ビームスプリッタ５２（ここではＳ偏光を反射しＰ偏光を透過する構成）で反射された後、１／４波長板５３で円偏光に変換され、光ディスク（不図示）へと送られる。光ディスクで反射された光は、１／４波長板５３で円偏光からＰ偏光へと変換され、偏光ビームスプリッタ５２を透過して光検出器５４へと送られる。１／４波長板５３は、偏光ビームスプリッタ５２と協働して、光源５１から出射された光の利用効率を向上させる機能を発揮する。
【０００４】
図７に示すように、ベース部に間隔をあけて対向配置される一対の壁部５５の壁面には、それぞれ溝部５５ａ（図７において紙面奥側へと延びる）が設けられている。一対の溝部５５ａは、１／４波長板５３を取り付けるための取付部として機能し、１／４波長板５３は、両端部が一対の溝部５５ａに挿入されることによってベース部に保持される。なお、溝部５５ａに挿入された１／４波長板５３は、接着剤５６によって一対の壁部５５（ベース部）に固定される。
【先行技術文献】
【特許文献】
【０００５】
【特許文献１】特開２００７−２６５５５９号公報
【発明の概要】
【発明が解決しようとする課題】
【０００６】
近年においては、光ピックアップの小型化の要求が強い。この小型化の要求に対応する１つの手段として、ベース部に備えられる光学部材間の間隔を極力小さくすることが考えられる。例えば、図７に示す構成において、間隔をあけて配置される１／４波長板５３と偏光ビームスプリッタ５２とを接触配置すれば、光ピックアップの小型化が図れる。しかし、この場合、次のような問題が生じる。
【０００７】
図８は、１／４波長板５３と偏光ビームスプリッタ５２とを接触配置した場合の問題点を説明するための概略平面図である。１／４波長板５３と偏光ビームスプリッタ５２とが接触配置される場合、一対の溝部５５ａに、１／４波長板５３の両端部を挿入する構成（図７に示す構成）の採用が困難になる。このために、図８に示す構成では、１／４波長板５３を挟むように配置される一対の壁部５７（ベース部上に設けられる）のそれぞれについて、上面に溝部５７ａを設けている。そして、この溝部５７ａに接着剤を流し込む（注入する）ことによって、１／４波長板５３が一対の壁部５７に接着固定されるようにしている。
【０００８】
図８に示す構成の場合、溝部５７ａに流し込まれた接着剤が、１／４波長板５３及び偏光ビームスプリッタ５２の光学面（光が通過する面）に漏れ出しやすい（図８の矢印参照）。ここでいう光学面には、対向配置される偏光ビームスプリッタ５２と１／４波長板５３との、各対向面も含む。漏れ出した接着剤が光学面の有効径内に付着すると、所望の光学性能が得られなくなる場合がある。所望の光学性能が得られない光ピックアップは不良品になってしまう。
【０００９】
その他、光ピックアップの小型化に伴って光学部材（例えば１／４波長板）の取り付けスペースが狭小化される。この場合、光ピックアップ組み立て時の作業性低下が懸念され、作業性を向上する技術が求められる。
【００１０】
以上の点に鑑みて、本発明の目的は、光学部品を搭載する装置の小型化が図れるとともに、製造不良を発生し難い、光学部材の取付構造を提供することである。また、本発明の他の目的は、光学部品を搭載する装置の小型化が図れるとともに、製造時の作業性が良い、光学部材の取付構造を提供することである。更に、本発明の他の目的は、前述の光学部材の取付構造を備えることにより、小型で信頼性の高い光ピックアップを提供することである。
【課題を解決するための手段】
【００１１】
上記目的を達成するために本発明の光学部材の取付構造は、第１の光学部材を第２の光学部材の近傍に配置して、ベース部に取り付けるための取付構造であって、前記ベース部に設けられる第１の壁部と、前記ベース部に設けられるとともに、前記第１の壁部と間隔をあけて対向配置される第２の壁部と、を備え、前記第１の光学部材は、前記第１の光学部材を通過する光の光軸に対して略直交する方向に並ぶ前記第１の壁部及び前記第２の壁部の間に挟まれ、前記第１の壁部及び前記第２の壁部の各上面には、溝部が設けられ、前記溝部は、注入された接着剤を前記第１の光学部材に流出させる流出部の幅が絞られた構造になっている構成（第１の構成）とされる。
【００１２】
本構成によれば、接着剤を第１の光学部材に流出させる際の流出経路の幅が絞られているために、第１の光学部材及び第２の光学部材の光学面へと接着剤が漏れ出すことを抑制できる。このために、本構成によれば、製造不良を低減できる。
【００１３】
上記第１の構成の光学部材の取付構造において、前記溝部は、前記接着剤を注入するための注入部を有し、前記注入部と繋がる前記流出部は、前記注入部に比べて幅が狭くなっている構成（第２の構成）とするのが好ましい。本構成によれば、注入部を幅広として、溝部に対して確実に接着剤を注入しつつ、光学面への接着剤の漏れ出しを抑制できる。すなわち、本構成によれば、第１の光学部材の取付作業において不良が発生し難い。
【００１４】
上記第１又は第２の構成の光学部材の取付構造において、前記流出部の底面が、前記第１の光学部材の上面近傍に位置する構成（第３の構成）とするのが好ましい。本構成によれば、溝部に注入された接着剤によって第１の光学部材を確実に固定し易い。
【００１５】
上記第１から第３のいずれかの構成の光学部材の取付構造において、前記第１の壁部と前記第２の壁部とで、前記流出部の底面の高さ位置が異なる構成（第４の構成）としてもよい。第１の光学部材の形状として、例えば表裏を誤って取り付けることがないように、平面視略平行四辺形となる形状が採用される場合がある。本構成は、このような場合に好適である。
【００１６】
上記第１から第４のいずれかの構成の光学部材の取付構造において、前記第１の壁部及び前記第２の壁部には、前記第１の光学部材における前記第２の光学部材に対向する面と反対側の面の一部、に対向する突起部が設けられる構成（第５の構成）としてもよい。本構成によれば、取付作業時において、第１の光学部材の倒れ込みを突起部によって抑制できる。すなわち、本構成によれば、作業性の向上が期待できる。
【００１７】
上記第５の構成の光学部材の取付構造において、前記突起部は、前記第２の光学部材より高さが高く設けられている構成（第６の構成）とするのが好ましい。本構成によれば、突起部を第１の光学部材の挿入ガイドとして機能させられるために、作業性の向上が期待できる。
【００１８】
上記第１から第６のいずれかの構成の光学部材の取付構造において、前記第１の光学部材と前記第２の光学部材とは接触している構成（第７の構成）とするのが好ましい。本構成によれば、光学部材が取り付けられる装置の小型化を図りやすい。
【００１９】
上記目的を達成するために本発明の光ピックアップは、上記第１から第７のいずれかの構成の光学部材の取付構造を備える構成（第８の構成）になっている。本構成によれば、光ピックアップの組み立て時（製造時）に、狭いスペースに光学部材を適切に配置することができる。
【００２０】
上記第８の構成の光ピックアップにおいて、前記第１の光学部材は光の偏光状態を変化させる波長板であり、前記第２の光学部材は光分離素子である構成（第９の構成）としてもよい。
【発明の効果】
【００２１】
本発明によれば、光学部品を搭載する装置の小型化が図れるとともに、製造不良を発生し難い、光学部材の取付構造を提供できる。また、本発明によれば、光学部品を搭載する装置の小型化が図れるとともに、製造時の作業性が良い、光学部材の取付構造を提供できる。更に、本発明によれば、小型で信頼性の高い光ピックアップを提供できる。
【図面の簡単な説明】
【００２２】
【図１】本実施形態の光ピックアップの外観構成を示す概略平面図
【図２】本実施形態の光ピックアップの光学構成を示す概略平面図
【図３】本実施形態における、１／４波長板の取付構造を説明するための概略上面図で、１／４波長板が取り付けられる前の状態を示す図
【図４】図３のＡ−Ａ位置における概略断面図
【図５】本実施形態における、１／４波長板の取付構造を説明するための概略上面図で、１／４波長板が取り付けられた状態を示す図
【図６】図５のＢ−Ｂ位置における概略断面図
【図７】従来の、光ピックアップが備える１／４波長板の取付構造を説明するための概略平面図
【図８】１／４波長板と偏光ビームスプリッタとを接触配置した場合の問題点を説明するための概略平面図
【発明を実施するための形態】
【００２３】
以下、本発明に係る、光学部材の取付構造及び光ピックアップの実施形態について、図面を参照しながら説明する。
【００２４】
（光ピックアップの概略構成）
まず、本発明の光学部材の取付構造が適用された光ピックアップの概略構成について説明する。なお、本実施形態の光ピックアップは、ブルーレイディスク（ＢＤ）、デジタル多用途ディスク（ＤＶＤ）、コンパクトディスク（ＣＤ）といった３種類の規格の光ディスクに対して情報の読み取りや書き込みを行える構成になっている。
【００２５】
図１は、本実施形態の光ピックアップ１の外観構成を示す概略平面図である。なお、図１に示される光ピックアップ１で光ディスクの情報の読み取り等を行う場合、光ディスクは紙面手前側に配置されることになる。図１に示すように、光ピックアップ１はピックアップベース１０を備える。このピックアップベース１０は、本発明のベース部の一例である。
【００２６】
光ディスク装置（光ディスクの再生や記録を行うための装置）に搭載される光ピックアップ１は、ピックアップベース１０が光ディスク装置内に配置される２本のガイドシャフトＧＳに摺動可能に支持されることで、光ディスクの半径方向（ラジアル方向）に移動可能とされる。なお、ガイドシャフトＧＳによるピックアップベース１０の支持は、ピックアップベース１０の左右の端部に設けられる軸受け部１０ａ、１０ｂを使用して行われる。
【００２７】
ピックアップベース１０には、光ディスクに記録される情報を読み取ったり、光ディスクに情報を書き込んだりする上で必要となる各種の部材が搭載されている。この各種の部材には、光源となる半導体レーザ（後述する）、対物レンズ１７、２４を含む各種の光学部材（後述する）、光検出器２１、対物レンズ１７、２４を駆動させるアクチュエータ３０、及び、半導体レーザやアクチュエータ３０等を駆動させるために必要となる各種の回路が形成される回路基板（不図示）が含まれる。
【００２８】
なお、上述した、半導体レーザや各種の光学部材（対物レンズ１７、２４を除く）はピックアップベース１０の内部に内蔵される。アクチュエータ３０は、その全体がピックアップベース１０内にほぼ埋め込まれるようにして取り付けられており、アクチュエータ３０に搭載される対物レンズ１７、２４は外部に露出している。
【００２９】
図２は、本実施形態の光ピックアップ１の光学構成を示す概略平面図である。光ピックアップ１には、第１の半導体レーザ１１から出射される光を光ディスクの情報記録面に導くとともに、情報記録面で反射される反射光（戻り光）を光検出器２１に導く、ＢＤ用の光路が形成されている。また、光ピックアップ１には、第２の半導体レーザ２２から出射される光を光ディスクの情報記録面に導くとともに、情報記録面で反射される反射光（戻り光）を光検出器２１に導く、ＤＶＤ及びＣＤ用の光路が形成されている。
【００３０】
なお、光ピックアップ１においては、複数の光学部材が、ＢＤ用の光路と、ＤＶＤ及びＣＤ用の光路とで共用される構成になっている。このような構成を採用しているため、光ピックアップ１は、ＢＤ、ＤＶＤ、及び、ＣＤに対応する構成を少ない部品点数で形成可能になっている。
【００３１】
まず、ＢＤ用の光路について説明する。第１の半導体レーザ１１は、ＢＤ用のレーザ光（例えば波長４０５ｎｍ帯のレーザ光）を出射可能となっている。第１の半導体レーザ１１から出射されたレーザ光は、偏光ビームスプリッタ１２によって反射され、１／４波長板１３、コリメートレンズ１４、第１の立ち上げミラー１５を順に透過する。第１の立ち上げミラー１５を透過した光は、第２の立ち上げミラー１６によって反射されて、第２の立ち上げミラー１６の上方にある第１の対物レンズ１７へと至る。
【００３２】
第１の対物レンズ１７は、入射したレーザ光を光ディスクの情報記録面に集光する。第１の対物レンズ１７によって情報記録面に集光されたレーザ光は、情報記録面で反射される。この反射光（戻り光）は、第１の対物レンズ１７を通過後、第２の立ち上げミラー１６で反射される。その後、戻り光は、第１の立ち上げミラー１５、コリメートレンズ１４、１／４波長板１３、偏光ビームスプリッタ１２、ビームスプリッタ１８、回折光学素子１９、センサーレンズ２０を順に透過する。センサーレンズ２０を透過した戻り光は、光検出器２１の所定の受光領域に集光される。
【００３３】
次に、ＤＶＤ及びＣＤ用の光路について説明する。第２の半導体レーザ２２は、ＤＶＤ用のレーザ光（例えば波長６５０ｎｍ帯のレーザ光）とＣＤ用のレーザ光（例えば波長７８０ｎｍ帯のレーザ光）とを切り換えて出射可能になっている。このような半導体レーザは、例えばモノリシックタイプ或いはハイブリッドタイプの２波長レーザによって構成できる。
【００３４】
第２の半導体レーザ２２から出射されたレーザ光は、１／２波長板２３を透過後、ビームスプリッタ１８に至る。ビームスプリッタ１８で反射された反射光は、偏光ビームスプリッタ１２、１／４波長板１３、コリメートレンズ１４を順に透過し、第１の立ち上げミラー１５で反射される。第１の立ち上げミラー１５によって反射された反射光は、第１の立ち上げミラー１５の上方にある第２の対物レンズ２４へと至る。
【００３５】
第２の対物レンズ２４は、入射したレーザ光を光ディスクの情報記録面に集光する。第２の対物レンズ２４によって情報記録面に集光されたレーザ光は、情報記録面で反射される。この反射光（戻り光）は、第２の対物レンズ２４を通過後、第１の立ち上げミラー１５で反射される。その後、戻り光は、コリメートレンズ１４、１／４波長板１２、偏光ビームスプリッタ１２を透過してビームスプリッタ１８に至る。ビームスプリッタ１８を透過した戻り光は、回折光学素子１９、センサーレンズ２０を順に透過し、光検出器２１の所定の受光領域に集光される。
【００３６】
なお、偏光ビームスプリッタ１２及び１／４波長板１３は、協働してＢＤ用のレーザ光の光利用効率を高める機能を発揮する。ＤＶＤ用のレーザ光及びＣＤ用のレーザ光は、その偏光方向に関係なく、偏光ビームスプリッタ１２を透過する。また、第１の立ち上げミラー１５は、例えばダイクロイックミラーとされ、ＤＶＤ及びＣＤ用のレーザ光を反射し、ＢＤ用のレーザ光を透過させる。
【００３７】
コリメートレンズ１４は、図示しないレンズ駆動機構によって、その光軸方向（図２に矢印で示す方向）に移動可能になっている。コリメートレンズ１４の位置は、光ディスクの種類やレイヤージャンプ等に応じて適宜移動される。このようにコリメートレンズ１４を移動可能とすることで、対物レンズ１７、２４に入射するレーザ光の収束・発散度合いを調節して、球面収差の影響を適切に抑制できる。
【００３８】
回折光学素子１９は、トラッキングエラー（ＴＥ）信号を得られるように配置されている。センサーレンズ２０は、シリンドリカル面を有して入射する光に非点収差を与える。これにより、フォーカスエラー（ＦＥ）信号の取得が可能になっている。１／２波長板２３は偏光方向を調節するために設けられている。光検出器２１は、受光した光信号を電気信号に変換する光電変換手段として機能する。光検出器２１から出力された電気信号は図示しない信号処理部に送られ、この信号処理部で、再生信号、ＦＥ信号、ＴＥ信号等が生成される。
【００３９】
また、第１の対物レンズ１７及び第２の対物レンズ２４は、ピックアップベース１０に取り付けられるアクチュエータ３０（図１参照）に搭載された状態で、ピックアップベース１０に搭載されることになる。アクチュエータ３０は、光ピックアップ１に備えられる２つの対物レンズ１７、２４をフォーカス方向（図１及び図２においては紙面に垂直な方向が該当）及びトラッキング方向（図１及び図２においては上下方向が該当）に移動可能とする装置である。
【００４０】
光ピックアップ１においては、情報の読み取りや書き込みを行う際に、対物レンズ１７、２４の焦点位置が常に光ディスクの情報記録面に合うようにフォーカシング制御を行う必要がある。また、光ピックアップ１においては、情報の読み取りや書き込みを行う際に、対物レンズ１７、２４によって光ディスクの情報記録面に集光される光スポットの位置が、光ディスクのトラックに常に追随するようにトラッキング制御を行う必要がある。アクチュエータ３０は、例えば、これらフォーカシング制御及びトラッキング制御を行う際に駆動される。
【００４１】
アクチュエータ３０は、対物レンズ１７、２４を保持するレンズホルダ３１（図１参照）を有し、レンズホルダ３１をワイヤ３２（図１参照）で揺動可能に支持する構成のものである。そして、コイル及び磁石を利用して発生させた力でレンズホルダ３１（すなわち対物レンズ１７、２４）を動かすものである。このようなタイプのアクチュエータは公知であるので、ここでは、詳細な説明は省略する。
【００４２】
（光学部材の取付構造）
以上のように構成される光ピックアップ１において、１／４波長板１３に対して、本発明の光学部材の取付構造が適用されている。光ピックアップ１では、コリメートレンズ１４が光軸方向に移動する。このコリメートレンズ１４の移動に必要とされる領域が広いために、光ピックアップ１の小型化を考慮すると、ピックアップベース１０における、他の光学部材の配置スペースに余裕がない。このために、光ピックアップ１においては、１／４波長板１３と偏光ビームスプリッタ１２とが接触配置される。
【００４３】
なお、１／４波長板１３は本発明の第１の光学部材の一例であり、偏光ビームスプリッタ１２は本発明の第２の光学部材及び光分離素子の一例である。
【００４４】
図３は、本実施形態における、１／４波長板１３の取付構造を説明するための概略上面図で、１／４波長板１３が取り付けられる前の状態を示している。図４は、図３のＡ−Ａ位置における概略断面図である。なお、図４においては、ピックアップベース１０に取り付けられる前の１／４波長板１３も合わせて示している。図４における矢印方向に１／４波長板１３を下すことにより、１／４波長板１３は所望の取付位置に配置される。図５は、本実施形態における、１／４波長板１３の取付構造を説明するための概略上面図で、１／４波長板１３が取り付けられた状態を示している。図６は、図５のＢ−Ｂ位置における概略断面図である。以下、図３から図６を参照しながら、光ピックアップ１における１／４波長板１３の取付構造について説明する。
【００４５】
図３に示すように、１／４波長板１３の取付部ＡＰ（図３の破線枠で囲まれる領域）は、偏光ビームスプリッタ１２と、第１の壁部１０１と、第２の壁部１０２とを利用して形成される。第１の壁部１０１と第２の壁部１０２とは、間隔をあけて対向配置されている。また、第１の壁部１０１と第２の壁部とは、１／４波長板１３を通過する光の光軸ＡＸに対して略直交する方向に並んでいる。第１の壁部１０１及び第２の壁部１０２は、ピックアップベース１０と一体的に設けられている。ただし、第１の壁部１０１及び第２の壁部１０２は、ピックアップベース１０とは別部材とされ、ピックアップベース１０に固着されたものでも構わない。
【００４６】
なお、第２の壁部１０２は、第１の半導体レーザ１１から偏光ビームスプリッタ１２に入射する光（矢印Ｐ１方向に進む光）の有効径と重ならないように形成されている。また、第１の壁部１０１及び第２の壁部１０２は、偏光ビームスプリッタ１２で反射されて光ディスクに向かう光（矢印Ｐ２方向に進む光）、及び、光ディスクから１／４波長板１３に入射する光（矢印Ｐ３方向に進む光）の有効径と重ならないように形成されている。
【００４７】
図３及び図４に示すように、第１の壁部１０１の壁面１０１ａの一端には、壁面１０１ａに対して略直交する方向に突出する突起部１０１１が形成されている。突起部１０１１は、第１の壁部１０１の下端から上端にかけて形成されている。同様に、第２の壁部１０２の壁面１０２ａの一端には、壁面１０２ａに対して略直交する方向に突出する突起部１０２１が形成されている。突起部１０２１は、第２の壁部１０２の下端から上端にかけて形成されている。２つの突起部１０１１、１０２１は、１／４波長板１３を通過する光の光軸ＡＸを挟んで対向配置されている
【００４８】
２つの突起部１０１１、１０２１のそれぞれは、１／４波長板１３を通過する光の光軸ＡＸに沿って見た場合に、取付部ＡＰに配置される１／４波長板１３の端部（左右の端部）と重なるように設けられる。また、２つの突起部１０１１、１０２１は、偏光ビームスプリッタ１２よりも高さが高く設けられている。このために、取付部ＡＰに１／４波長板１３を挿入配置するに際して、突起部１０１１、１０２１は挿入ガイドとしての機能を発揮する。この突起部１０１１、１０２１の存在により、１／４波長板１３が、偏光ビームスプリッタ１２と反対側に倒れ込むのを防止しつつ、１／４波長板１３を取付部ＡＰに挿入配置できるので、作業性が良い。
【００４９】
図５に示すように、取付部ＡＰに挿入配置された１／４波長板１３は、光学面（光が通過する面）の一方面１３ａが偏光ビームスプリッタ１２に対向する。また、光学面の他方面１３ｂは、その一部（左右の端部；１／４波長板１３を光軸ＡＸに沿って見た場合を想定した表現）が突起部１０１１、１０１２に対向する。また、１／４波長板１３の一方の側面１３ｃは第１の壁部１０１の壁面１０１ａに対向し、他方の側面１３ｄは第２の壁部１０２の壁面１０２ａに対向する。
【００５０】
取付部ＡＰに挿入配置された１／４波長板１３は、光学面の一方面１３ａが偏光ビームスプリッタ１２の一面に接触した状態で固定される。この固定は、第１の壁部１０１の上面１０１ｂに設けられる溝部１０１２、及び、第２の壁部１０２の上面１０２ｂに設けられる溝部１０２２に注入される（流し込まれる）接着剤４０によって達成される。
【００５１】
２つの溝部１０１２、１０２２は、いずれも、注入部１０１２ａ、１０２２ａと、注入部１０１２ａ、１０２２ａに繋がる流出部１０１２ｂ、１０２２ｂと、を有する（図３参照）。注入部１０１２ａ、１０２２ａは、接着剤４０が注入される部分である。接着剤４０の注入には、例えばディスペンサ等が使われる。流出部１０１２ｂ、１０２２ｂは、注入部１０１２ａ、１０２２ａに注入された接着剤４０を１／４波長板１３に向けて流出させる部分である。換言すると、２つの溝部１０１２、１０２２の壁面１０１ａ、１０２ｂ側の端部は開口しており、この開口部分が流出部１０１２ｂ、１０２２ｂを形成する。
【００５２】
注入部１０１２ａ、１０２２ａに比べて、流出部１０１２ｂ、１０２２ｂは幅（図３の左右方向の長さ）が狭くなっている。換言すると、２つの溝部１０１２、１０２２は、流出部１０１２ｂ、１０２２ｂの幅が絞られた構造になっている。これは次の理由による。
【００５３】
注入部１０１２ａ、１０２２ａは、接着剤４０を溝部１０１２、１０２２に確実に注入し易いように幅が広いことが望まれる。一方、流出部１０１２ｂ、１０２２ｂの幅が広すぎると、流出部１０１２ｂ、１０２２ｂから流れ出した接着剤４０が、偏光ビームスプリッタ１２や１／４波長板１３の光学面に漏れ出し易くなる。このような事態を避けるべく、流出部１０１２ｂ、１０２２ｂは幅が絞られている。
【００５４】
なお、流出部１０１２ｂ、１０２２ｂの幅は、１／４波長板１３の厚み以下であるのが好ましい。ただし、流出部１０１２ｂ、１０２２ｂの幅を狭くし過ぎると接着が不十分になる可能性があるために、この点を考慮して流出部１０１２ｂ、１０２２ｂの幅を決定するのが好ましい。また、流出部１０１２ｂ、１０２２ｂの幅が１／４波長板１３の厚みより小さくされる場合において、流出部１０１２ｂ、１０２２ｂは、偏光ビームスプリッタ１２から離れる方向（図３では左方向）に偏って配置されるのが好ましい。
【００５５】
図６に示すように、本実施形態では、流出部１０１２ｂ、１０２２ｂの底面は取付部ＡＰに配置された１／４波長板１３の上面１３ｅ近傍に位置するようになっている。より詳細には、１／４波長板１３の上面１３ｅの方が、流出部１０１２ｂ、１０２２ｂの底面より若干（例えば数百μｍのオーダー）高くなっている。
【００５６】
上述のように、本実施形態では流出部１０１２ｂ、１０２２ｂの幅が絞られている。この影響で、流出部１０１２ｂ、１０２２ｂから１／４波長板１３へと流れ出す接着剤４０の勢いが多少低下する。このために、例えば、流出部１０１２ｂ、１０２２ｂの底面より１／４波長板１３の上面１３ｅの高さがかなり低いと、１／４波長板１３に到達する接着剤４０の量が不十分となって、接着不十分となることが懸念される。
【００５７】
また、流出部１０１２ｂ、１０２２ｂの底面より１／４波長板１３の上面１３ｅの高さがかなり高いと、接着剤４０が１／４波長板１３の側面１３ｃ、１３ｄにしか接しなくなり、接着が不十分になることが懸念される。このような点を考慮して、流出部１０１２ｂ、１０２２ｂの底面は、取付部ＡＰに配置された１／４波長板１３の上面１３ｅ近傍に位置するのが好ましい。そして、１／４波長板１３の上面１３ｅの方が、流出部１０１２ｂ、１０２２ｂの底面より若干高くなるのが、更に好ましい。
【００５８】
ところで、本実施形態では、組み立て時において表裏を間違って取り付けないように、１／４波長板１３は、その外形が平面視略平行四辺形になっている（図６参照）。そして、これに対応して取付部ＡＰの底面が形成されているために、取付部ＡＰに挿入配置された１／４波長板１３の上面１３ｅの左右の端部（図６を想定した表現）は高さが異なる。このために、本実施形態では、第１の壁部１０１の流出部１０１２ｂと、第２の壁部１０２の流出部１０２２ｂとは、底面の高さ位置が異なっている。図６に示すように、本実施形態では、流出部１０２２ｂの底面の方が、流出部１０１２ｂの底面よりもδだけ高くなっている。δ（高さの差）は、１／４波長板１３の形状に合わせて決定される。
【００５９】
なお、１／４波長板１３は、平面視略平行四辺形ではなく、平面視長方形や正方形等、別の形状としてもよい。この場合には、第１の壁部１０１の流出部１０１２ｂと、第２の壁部１０２の流出部１０２２ｂとは、底面の高さ位置が同一であってよい。
【００６０】
以上のように、本実施形態の１／４波長板１３の取付構造によれば、１／４波長板１３を狭い取付領域に作業性良く取付可能である。また、本実施形態の１／４波長板１３の取付構造によれば、１／４波長板１３を接着固定（ピックアップベース１０に接着固定）するための接着剤４０が偏光ビームスプリッタ１２や１／４波長板１３の光学面に漏れ出して、光ピックアップ１の光学性能に悪影響を及ぼす可能性を低下できる。すなわち、光ピックアップ１の製造時において不良品の発生を抑制でき、また、信頼性の高い光ピックアップ１を製造可能になる。
【００６１】
（その他）
以上に示した実施形態は本発明の例示であり、本発明の光学部材の取付構造、及び、光ピックアップの構成は以上に示した構成に限定されるものではない。
【００６２】
例えば、以上に示した実施形態では、１／４波長板１３と偏光ビームスプリッタ１２とが接触配置される構成とされた。しかし、本発明の適用範囲は、これに限定されるものではない。１／４波長板１３が、偏光ビームスプリッタ１２と非接触であるが近傍に配置される場合にも、本発明の光学部材の取付構造は有効である。
【００６３】
また、以上に示した実施形態では、本発明の光学部材の取付構造が、偏光ビームスプリッタ１２に接触配置（或いは近傍に配置）される１／４波長板１３に適用された。しかし、本発明の光学部材の取付構造は、或る光学部材の近傍に配置（接触配置含む）される光学部材に対して広く適用可能であり、本発明の光学部材の取付構造の適用範囲は、１／４波長板に限定されるものではない。
【００６４】
また、以上においては、本発明の光学部材の取付構造が光ピックアップに適用される場合を示したが、本発明の光学部材の取付構造は他の光学装置（例えばカメラ等）にも適用可能である。また、本発明の光学部材の取付構造が適用される光ピックアップの構成（対応可能な光ディスクの種類や使用する光学構成）も、当然、適宜変更されてよい。
【産業上の利用可能性】
【００６５】
本発明は、小型化が要求される光ピックアップに好適である。
【符号の説明】
【００６６】
１  光ピックアップ
１０  ピックアップベース（ベース部）
１２  偏光ビームスプリッタ（第２の光学部材、光分離素子）
１３  １／４波長板（第１の光学部材）
４０  接着剤
１０１  第１の壁部
１０１ｂ  第１の壁部の上面
１０２  第２の壁部
１０２ｂ  第２の壁部の上面
１０１１、１０２１  突起部
１０１２、１０２２  溝部
１０１２ａ、１０２２ａ  注入部
１０１２ｂ、１０２２ｂ  流出部
ＡＸ  光軸
【図１】
2013143159.tif 000003
【図２】
2013143159.tif 000004
【図３】
2013143159.tif 000005
【図４】
2013143159.tif 000006
【図５】
2013143159.tif 000007
【図６】
2013143159.tif 000008
【図７】
2013143159.tif 000009
【図８】
2013143159.tif 000010